(57)【要約】【課題】ＤＣオフセットを低減することができるダイレクトコンバージョン受信機を提供する。【解決手段】ダイレクトコンバージョン受信機に、局部発信信号を発生する局部発振器と、受信信号に前記局部発信信号を乗算し、キャリア信号を分離する第１のミキサ回路と、前記キャリア信号が除去された信号から、前記ミキサ回路におけるＤＣオフセットをキャンセルするキャンセル手段とを備えることにより上記課題を解決する。【選択図】図３
2007208466.tif 000002
【特許請求の範囲】
【請求項１】
局部発信信号を発生する局部発振器と、
受信信号に前記局部発信信号を乗算し、キャリア信号を分離する第１のミキサ回路と、
前記キャリア信号が除去された信号から、前記ミキサ回路におけるＤＣオフセットをキャンセルするキャンセル手段と
を備えることを特徴とするダイレクトコンバージョン受信機。
【請求項２】
請求項１に記載のダイレクトコンバージョン受信機において、
前記キャンセル手段は、アンテナから前記第１のミキサ回路に至るまでの経路と少なくとも一部が同一であることを特徴とするダイレクトコンバージョン受信機。
【請求項３】
請求項１または２に記載のダイレクトコンバージョン受信機において、
前記キャンセル手段は、前記局部発信信号が入力される第２のミキサ回路を備え、前記キャリア信号が除去された信号から、前記第２のミキサ回路の出力信号を減算することを特徴とするダイレクトコンバージョン受信機。
【発明の詳細な説明】
【技術分野】
【０００１】
本発明は、携帯電話、ＷＬＡＮ（ｗｉｒｅｌｅｓｓ  ＬＡＮ）、Ｂｌｕｅｔｏｏｔｈなどのダイレクトコンバージョン受信機に関する。
【背景技術】
【０００２】
携帯電話、ＷＬＡＮ（ｗｉｒｅｌｅｓｓ  ＬＡＮ）、Ｂｌｕｅｔｏｏｔｈなどの無線通信用受信機において、小型化と低コスト化の要求が高まっている。部品点数を削減できる方式として、ダイレクトコンバージョン方式が知られている。
【０００３】
しかし、ダイレクトコンバージョン方式には、ＤＣ（Ｄｉｒｅｃｔ  Ｃｕｒｒｅｎｔ）オフセット発生に関する問題がある。ＤＣオフセット発生は、ＢＥＲ（Ｂｉｔ  Ｅｒｒｏｒ  Ｒａｔｅ）の劣化、Ａ／Ｄ変換器のダイナミックレンジの減少の要因となる。このため、ＤＣオフセット発生を抑圧する必要がある。
【０００４】
例えば、局部発信器からミキサに基準信号ｃｏｓＷＬＯｔが入力される過程で、基板カップリング（ｓｕｂｓｔｒａｔｅ  ｃｏｕｐｌｉｎｇ）とボンドワイヤカップリング（ｂｏｎｄ  ｗｉｒｅ  ｃｏｕｐｌｉｎｇ）とによって発振器信号漏れが発生する。こういう漏れ信号は、さらに局部発振器から発生する基準信号と、自己ミキシングされ、その結果、ＤＣオフセットが発生する。
【０００５】
このようなＤＣオフセットを除去するために、図１に示すように、第１低域通過フィルタ（ＬＰＦ）１８と第２増幅器２６の間に第１キャパシタ２２が備えられる。
【０００６】
しかし、こういう方策は、第１キャパシタ２２の体積が大きく、充電および放電のために別途の接地２８が必要である。このため、回路のサイズが大きくなり、単一のチップに作り難いだけでなく適用が時分割多重接続（ＴＤＭＡ）に限定される。
【０００７】
また、上述した問題点を解決するために、ＤＣオフセットを除去するための手段が内蔵された単一チップ化された受信機が提案されている。
【０００８】
この受信機は、ミキサ部と局部発振器とが回路として具備された基板と、ミキサ部および局部発振器で放射される信号漏れの影響を遮蔽させるポジティブホールと、基板の上部に備えられ、アンテナから信号がミキサ部に入力される過程で発生する信号漏れおよび局部発振器からミキサ部に基準信号が入力される過程で発生する信号漏れを遮断する遮蔽接地面と、遮蔽接地面上部に備えられ、ミキサ部および局部発振器を連結する第１配線と、基板と遮蔽接地面の間、および遮蔽接地面の上部で第１配線を覆うように積層された誘電層を備える。
【０００９】
この受信機によれば、図２に示すように、ミキサー７４は、アンテナ７０を通じて受信され、第１増幅器７２によって増幅された信号を、局部発振器８０から供給される所定の基準信号とミキシングする。その結果、第１増幅器７２の出力信号からキャリア信号が除去される。局部発振器８０は、アンテナ７０および第１増幅器７２を通じて受信された信号から、キャリア信号を分離するのに使われる所定の基準信号をミキサー７４に提供する。ミキサー７４と局部発振器８０の間に遮蔽接地面（シールド）が設けられている。局部発振器８０からの出力信号は、遮蔽接地面によって制限された領域を通じてミキサー７４に伝えられる。ミキサー７４から出力されるキャリア信号が除去された信号は、低域通過フィルタ（ＬＰＦ）７６によって高周波成分が除去される。低域通過フィルタ７６から出力される信号は、第２増幅器７８によって増幅される。アンテナ７０を通じて受信された信号を処理する過程で、局部発振器８０およびミキサー７４からそれぞれ発生する信号漏れＡ２および干渉漏れＡ１は、その大部分が遮蔽接地面に吸収されて遮断される（例えば、特許文献１参照）。
【特許文献１】特開２００４−２３６３３０号公報
【発明の開示】
【発明が解決しようとする課題】
【００１０】
しかしながら、上述した背景技術には以下の問題がある。
【００１１】
特許文献１に示される受信機は、ＤＣオフセットを低減するために局部発振器とミキサとの間に、物理的なシールドを挿入して、互いの放射の影響を抑えている。この場合、通常のシリコンプロセスに対して、シールドのためのオプション工程が多く発生する問題がある。このため、製造コストを引き上げてしまう。
【００１２】
そこで本発明の目的は、ＤＣオフセットを低減することができるダイレクトコンバージョン受信機を提供することにある。
【課題を解決するための手段】
【００１３】
上記課題を解決するため、本発明のダイレクトコンバージョン受信機は、局部発信信号を発生する局部発振器と、受信信号に前記局部発信信号を乗算し、キャリア信号を分離する第１のミキサ回路と、前記キャリア信号が除去された信号から、前記ミキサ回路におけるＤＣオフセットをキャンセルするキャンセル手段とを備えることを特徴の１つとする。
【００１４】
このように構成することにより、ミキサ回路におけるセルフミキシングによるＤＣオフセットをキャンセルすることができる。
【発明の効果】
【００１５】
本発明の実施例によれば、ＤＣオフセットを低減することができるダイレクトコンバージョン受信機を実現できる。
【発明を実施するための最良の形態】
【００１６】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００１７】
本発明の実施例にかかるダイレクトコンバージョン受信機について、図３を参照して説明する。
【００１８】
本実施例にかかるダイレクトコンバージョン受信機１００は、ダイレクトコンバージョン受信機において、アンテナからミキサ回路に至るまでの経路と同一の構成でアンテナ部のみＡＣ的に固定したダミー回路を備える。
【００１９】
具体的に説明する。
【００２０】
ダイレクトコンバージョン受信機１００は、アンテナ１０２と、アンテナ１０２を通じて受信された信号が入力される第１の増幅器１０４と、第１の増幅器１０４の出力信号が入力され、局部発振器から所定の基準信号ｃｏｓＷＬＯｔが入力されるミキサ回路１０６と、ミキサ回路１０６の出力信号が入力される加算器１０８と、加算器１０８からの出力信号が入力される低域通過フィルタ（ＬＰＦ）１１０と、低域通過フィルタ１１０の出力信号が入力される第２の増幅器１１２と、第３の増幅器１１６と、第３の増幅器１１６の出力信号が入力され、局部発振器から所定の基準信号ｃｏｓＷＬＯｔが入力されるミキサ回路１１８とを備える。第３の増幅器１１６の入力側は、抵抗１１４を通じてＡＣ接地される。ミキサ回路１１８の出力信号は反転されて加算器１０８に入力される。すなわち。ミキサ回路１０６の出力信号からミキサ回路１１８の出力信号が減算される。ここで、入力側が抵抗１１４を通じてＡＣ接地された第３の増幅器１１６、ミキサ回路１１８および加算器１０８は、キャンセル手段を構成する。
【００２１】
アンテナ１０２、第１の増幅器１０４およびミキサ回路１０６を基本回路と呼び、抵抗１１４、第３の増幅器１１６およびミキサ回路１１８をダミー回路と呼ぶ。
【００２２】
ダイレクトコンバージョン受信機１００では、基本回路およびダミー回路のミキサ回路１０６および１１８に同様の基準信号ｃｏｓＷＬＯｔが入力される。例えば、同一の局部発振器からＬＯ信号が入力される。
【００２３】
本実施例にかかるダイレクトコンバージョン受信機１００は、基本回路のミキサ回路１０６の出力からダミー回路のミキサ回路１１８の出力を減算するための回路、例えば加算器１０８を備え、基本回路のミキサ回路１０６の出力からダミー回路のミキサ回路１１８の出力を減算した結果を受信信号として次段以降で扱う。このようにすることにより、ミキサ回路１０６におけるセルフミキシングによるＤＣオフセットをキャンセルすることができる。また、局部発振器とＬＮＡやミキサ回路、その間の配線との相互作用による他の悪影響もキャンセルできる。
【００２４】
また、本実施例にかかるダイレクトコンバージョン受信機１００は、基本回路とダミー回路はできる限り同一形状で、近傍に配置される。このようにすることにより、ＬＯ信号からの放射による影響をできるだけ同じとすることができる。すなわち、基本回路およびダミー回路における、ＬＯ信号からの放射による影響を近づけることができる。このため、該ＬＯ信号からの放射による影響をキャンセルできる。
【００２５】
また、ダミー回路は、必ずしも上述したように、基本回路と同様の構成である必要はなく、その部分回路でもよい。すなわち、アンテナからミキサ回路に至るまでのミキサ回路を含んだ一部分の構成と同様の構成とするようにしてもよい。例えば、基本回路において、局部発振器からの影響が大きいと思われる部分のみでダミー回路を構成する。このようにすることにより、回路規模の増大を抑えることができる。例えば、ミキサ回路のみによりダミー回路を構成する。
【００２６】
本実施例によれば、ミキサ回路におけるセルフミキシングによるＤＣオフセットをキャンセルすることができる。また、局部発振器とＬＮＡやミキサ回路、その間の配線との相互作用による他の悪影響もキャンセルできる。
【産業上の利用可能性】
【００２７】
本発明は、ダイレクトコンバージョン受信機に適用できる。
【図面の簡単な説明】
【００２８】
【図１】ＤＣ送受信機における発振器信号漏れの発生を示す回路ブロック図である。
【図２】ＤＣオフセットを減少させたＤＣ送受信機におけるミキサ回路と局部発振器との間に遮蔽接地面が設けられることを概念的に示す回路ブロック図である。
【図３】本発明の一実施例にかかるＤＣ受信機を示す回路ブロック図である。
【符号の説明】
【００２９】
１００  ダイレクトコンバージョン受信機
【図１】
2007208466.tif 000003
【図２】
2007208466.tif 000004
【図３】
2007208466.tif 000005